(57)【特許請求の範囲】
【請求項１】
コアネットワークと、１以上のユニバーサル地上無線アクセスネットワーク（ＵＴＲＡＮ）と、複数のユーザ装置（ＵＥ）とを具備し、前記コアネットワークがＩｕインターフェースを介して前記ＵＴＲＡＮと通信し、前記ＵＴＲＡＮが複数の無線ネットワークシステム（ＲＮＳ）から構成されて、Ｕｕインターフェースを介して１以上のＵＥと通信し、各前記ＲＮＳは無線ネットワーク制御装置（ＲＮＣ）と、Ｉｕｂインターフェースを通して前記ＲＮＣと通信する１以上のノードとを具備し、各ノードは１以上のセルを具備し、ＲＮＳとの間の通信はＩｕｒインターフェースを介して行われ、前記ＵＴＲＡＮは前記Ｕｕインターフェースの無線リソース制御（ＲＲＣ）シグナリングを通して前記ＵＥの移動性管理を制御する移動体通信システムにおいてユーザ装置（ＵＥ）の移動性を管理する方法において、
ＵＥはアップリンクＲＲＣシグナリングメッセージを第１のＲＮＣへ送信して、ＵＥ移動性管理をリクエストし、
前記第１のＲＮＣは前記第１のＲＮＣと前記第２のＲＮＣとの間にＩｕｒトランスポートリンクが存在するか否かを決定し、
前記第１のＲＮＣは前記アップリンクＲＲＣシグナリングメッセージを受信してそれを前記コアネットワークへ転送し、
前記コアネットワークは前記アップリンクＲＲＣシグナリングメッセージを第２のＲＮＣへ透過的に転送し、
前記第２のＲＮＣはリクエストされた移動性管理を実行するために前記転送されたアップリンクＲＲＣシグナリングメッセージを受信して使用するステップを含んでおり、
前記アップリンクＲＲＣシグナリングメッセージはＲＡＮＡＰシグナリングメッセージとしてＩｕインターフェースを介して前記第１のＲＮＣから前記コアネットワークへ送信される、方法。
【請求項２】
前記第１のＲＮＣは前記ＵＥと通信する目的地ＲＮＣであり、前記第２のＲＮＣは前記ＵＥを制御して、前記ＵＥにコアネットワークと通信を行わせるためのサービスするＲＮＣであることを特徴とする請求項１記載の方法。
【請求項３】
前記ＲＡＮＡＰシグナリングメッセージはメッセージタイプと、ソースＩＤと、ターゲットＩＤと、ＵＥによりリクエストされた移動性管理に関するＲＲＣ情報とを含んでいる、請求項１記載の方法。
【請求項４】
第１のＲＮＣからコアネットワークへ送信される前記ＲＡＮＡＰシグナリングメッセージでは、ソースＩＤが第２のＲＮＣを識別し、ターゲットＩＤが第１のＲＮＣを識別し、ＵＥによりリクエストされた移動性管理に関するＲＲＣ情報はセル更新メッセージまたはＵＲＡ更新メッセージとして規定されることを特徴とする請求項３記載の方法。
【請求項５】
ＵＥがアップリングでＲＲＣシグナリングメッセージを第１のＲＲＣへ送信するステップでは、前記ＵＥはセルの更新をリクエストするために共通の制御チャンネル（ＣＣＣＨ）を介してＲＲＣシグナリングメッセージを送信することを特徴とする請求項１記載の方法。
【請求項６】
ＵＥがアップリングでＲＲＣシグナリングメッセージを第１のＲＲＣへ送信するステップでは、前記ＵＥはＵＲＡの更新をリクエストするために共通の制御チャンネル（ＣＣＣＨ）を介してＲＲＣシグナリングメッセージを送信することを特徴とする請求項１記載の方法。
【請求項７】
コアネットワークと、１以上のユニバーサル地上無線アクセスネットワーク（ＵＴＲＡＮ）と、複数のユーザ装置（ＵＥ）とを具備し、前記コアネットワークはＩｕインターフェースを介してＵＴＲＡＮと通信し、前記ＵＴＲＡＮは複数の無線ネットワークシステム（ＲＮＳ）から構成されて、Ｕｕインターフェースを介して１以上のＵＥと通信し、各前記ＲＮＳは無線ネットワーク制御装置（ＲＮＣ）と、Ｉｕｂインターフェースを通して前記ＲＮＣと通信する１以上のノードとを具備し、各ノードは１以上のセルを具備し、ＲＮＣ間の通信はＩｕｒインターフェースを介して行われ、前記ＵＴＲＡＮは前記Ｕｕインターフェースの無線リソース制御（ＲＲＣ）シグナリングを通して前記ＵＥの移動性管理を制御するユーザ装置（ＵＥ）の移動性管理のための移動体通信システムにおいて、
前記ＵＥはアップリンクでＲＲＣシグナリングメッセージを第１のＲＮＣへ送信して、ＵＥ移動性管理をリクエストする手段を具備し、
前記第１のＲＮＣは前記第１のＲＮＣと前記第２のＲＮＣとの間にＩｕｒトランスポートリンクが存在するか否かを決定する手段を具備し、
前記第１のＲＮＣは前記ＵＥから前記アップリンクＲＲＣシグナリングメッセージを受信してそれを前記コアネットワークへ転送する手段を具備し、
前記コアネットワークは前記アップリンクＲＲＣシグナリングメッセージを第２のＲＮＣへ透過的に転送する手段を具備し、
前記第２のＲＮＣはリクエストされた移動性管理を実行するために前記転送されたアップリンクＲＲＣシグナリングメッセージを受信し使用する手段を具備しており、
前記第１のＲＮＣはＲＡＮＡＰシグナリングメッセージとして前記アップリンクＲＲＣシグナリングメッセージをＩｕインターフェースを介して前記コアネットワークへ転送する、システム。
【請求項８】
前記第１のＲＮＣは前記ＵＥと通信する目的地ＲＮＣであり、前記第２のＲＮＣは前記ＵＥを制御し、前記ＵＥにコアネットワークと通信させるためのサービスをするＲＮＣであることを特徴とする請求項７記載のシステム。
【請求項９】
前記ＲＡＮＡＰシグナリングメッセージはメッセージタイプと、ソースＩＤと、ターゲットＩＤと、ＵＥによりリクエストされた移動性管理に関するＲＲＣ情報とを含んでいる、請求項７記載のシステム。
【請求項１０】
第１のＲＮＣによりコアネットワークへ送信されるＲＡＮＡＰシグナリングメッセージでは、ソースＩＤは第２のＲＮＣを識別し、ターゲットＩＤは第１のＲＮＣを識別し、ＵＥによりリクエストされた移動性管理に関するＲＲＣ情報はセル更新メッセージまたはＵＲＡ更新メッセージとして規定されることを特徴とする請求項９記載のシステム。
【請求項１１】
アップリングでＲＲＣシグナリングメッセージを第１のＲＲＣへ送信するＵＥは、セルの更新をリクエストするために共通の制御チャンネルを介してＲＲＣシグナリングメッセージを送信する前記ＵＥ送信アップリンクを含んでいることを特徴とする請求項７記載のシステム。
【請求項１２】
アップリングでＲＲＣシグナリングメッセージを第１のＲＲＣへ送信するＵＥは、ＵＲＡの更新をリクエストするために共通の制御チャンネルを介してＲＲＣシグナリングメッセージを送信する前記ＵＥ送信アップリンクを含んでいることを特徴とする請求項７記載のシステム。
【発明の詳細な説明】
【技術分野】
【０００１】
本発明は移動体通信システムにおけるユーザ装置（ＵＥ）の移動性管理に関する。特に本発明はＷＣＤＭＡ通信システムにおいてサービスする無線ネットワーク制御装置（ＲＮＣ）と目的地ＲＮＣとの間にＩｕｒシグナリングリンクが存在しないときのセル更新及びユーザ登録区域（ＵＲＡ）更新の方法と、この方法を実行する通信システムに関する。
【背景技術】
【０００２】
第３世代のパートナーシッププロジェクト（３ＧＰＰ）のＷＣＤＭＡシステムでは、ＵＥが無線リソース制御（ＲＲＣ）接続モードにあるとき、ＲＲＣ層の４つの可能な状態、即ちＣｅｌｌ＿ＤＣＨ、Ｃｅｌｌ＿ＦＡＣＨ、Ｃｅｌｌ＿ＰＣＨ、ＵＲＡ＿ＰＣＨが導入される。ＵＭＴＳ地上無線アクセスネットワーク（ＵＴＲＡＮ）のＣｅｌｌ＿ＦＡＣＨ、Ｃｅｌｌ＿ＰＣＨおよびＵＲＡ＿ＰＣＨ状態のＵＥ移動性管理を支援するために、セル更新プロセスおよびＵＲＡ（ＵＴＲＡＮルーチング区域またはユーザ登録区域）更新プロセスが規定される。
【０００３】
図１で示されているようなユニバーサル移動体電気通信システム（ＵＭＴＳ）のネットワークシステムアーキテクチャでは、コアネットワーク（ＣＮ）はＩｕインターフェースを介してＵＴＲＡＮに接続され、ＵＴＲＡＮはＵｕインターフェース（即ちエアインターフェース）を介してＵＥに接続されている。Ｕｕインターフェースで制御機能を有するプロトコル層はＲＲＣ層である。ＴＳ２５．３１１等のようなプロトコル文献をＲＲＣプロトコルの詳細な説明のために参照することができる。
【０００４】
図２はさらにＵＴＲＡＮのネットワークアーキテクチャを示しており、ここではＵＴＲＡＮはＩｕインターフェースを介してコアネットワークにそれぞれ接続されている無線ネットワークサブシステム（ＲＮＳ）からなり、異なるＲＮＳはＩｕｒインターフェースを介して相互に接続されている。ＲＮＳでは、１つの無線ネットワーク制御装置（ＲＮＣ）はＩｕｂインターフェースを介して１以上のノードＢに接続され、ノードＢは実際に移動体通信システムで通常使用されるベーストランシーバ局（ＢＴＳ）の機能を実行する。ノードＢは１以上のセルを含み、セルはＵＥによりアクセスされる基本的なユニットである。Ｉｕ、Ｉｕｒ、Ｉｕｂ及びその他のインターフェースプロトコルは全て制御平面とユーザ平面とに分割され、ここで制御平面アプリケーション層の無線プロトコルはそれぞれＲＡＮＡＰ（無線ネットワークアプリケーション部分）、ＲＮＳＡＰ（無線ネットワークサブシステムアプリケーション部分）、ＮＢＡＰ（ノードＢアプリケーション部分）である。これらのプロトコルに関連する詳細な説明については３ＧＰＰのＴＳ２４．４ｘｘシリアルプロトコル文献を参照する。
【０００５】
図３はＵＥとＵＴＲＡＮとの接続の２つの場合を示している。一方の場合は図３のａに示されているように、ＵＥと通信する１以上のセルが無線ネットワーク制御装置（ＲＮＣ）により制御され、他方の場合は図３のｂに示されているように、サービスするＲＮＣ（ＳＲＮＣ）がＵＥと通信するセルを含むか或いは含まない状態で、ＵＥと通信する少なくとも１つのセルが（目的地ＲＮＣ、即ちＤＲＮＣと呼ばれる）他のＲＮＣにより制御される。後者の場合、ＤＲＮＣは主として無線リンクを提供し、ＵＥに関連するユーザ平面の上部プロトコルは主としてＳＲＮＣにより実行され、さらにコアネットワークとの通信に関連されるＵＥは依然としてＳＲＮＣとコアネットワークとの間のＩｕインターフェースを介して実行される。
【０００６】
ＷＣＤＭＡのＵＴＲＡＮでは、ＵＥはオンに付勢され、セル中に存在するようになった後、アイドルモードになり、同時にＵＥはシステム情報とセル放送メッセージとを受信し、コアネットワークからのページングを監視する。ＵＥがページングに応答するか最初に呼を発生するとき、ＵＥは一連のシグナリングプロセスによってＵＴＲＡＮとのＲＲＣ接続を設定して、ＲＲＣ接続モードに入らなければならない。ＴＲ２５．９３１、ＴＳ２５．３３１、および３ＧＰＰのその他のプロトコルをＲＲＣ接続の設定の特別なシグナリングプロセスのために参照することができる。ＵＥがＲＲＣ接続モードであるとき、ＲＲＣ層は全部で４つの可能な状態、即ちＣｅｌｌ＿ＤＣＨと、Ｃｅｌｌ＿ＦＡＣＨと、Ｃｅｌｌ＿ＰＣＨと、ＵＲＡ＿ＰＣＨとを有する。Ｃｅｌｌ＿ＤＣＨ状態に関連する移動性管理プロセスはハンドオーバーであり、Ｃｅｌｌ＿ＦＡＣＨ状態とＣｅｌｌ＿ＰＣＨ状態に関連する移動性管理プロセスはセル更新であり、ＵＲＡ＿ＰＣＨ状態に関連する移動体管理プロセスはＵＲＡ更新である。
【０００７】
Ｃｅｌｌ＿ＤＣＨ状態では、ＵＥは（１以上の専用の転送チャンネルＤＣＨに対応する）専用の物理的チャンネルを有し、ＵＥとの物理的リンクを有するセルはアクチブセルになり、全てのアクチブセルはＵＥのアクチブセットを構成し、アクチブセット数が２以上であるとき、ＲＮＣはアップリンクのマイクロダイバーシティ結合とダウンリンクの割当てを行う。この状態では、ＳＲＮＣとＤＲＮＣとの間のＩｕｒユーザ平面インターフェースはＤＣＨデータフレームを送信するためのアクチブなＤＣＨデータフレームを有している。
【０００８】
Ｃｅｌｌ＿ＦＡＣＨ状態では、システムはどの専用の物理的チャンネルもＵＥへ割当てない。しかしながら、ＵＥは低いアクチブ度でユーザデータを送信するために共通の（転送）チャンネル、即ちランダムアクセスチャンネル（ＲＡＣＨ（アップリンク））と順方向アクセスチャンネル（ＦＡＣＨ（ダウンリンク））を使用できる。この状態では、Ｉｕｒユーザ平面インターフェースは共通の転送チャンネル（ＣＣＣＨ）のデータフレームを送信するためのアクチブな共通の転送チャンネルデータフレームリンクを有する。この状態では、ＵＴＲＡＮはセル更新プロセスを通してＵＥ移動性管理を行う。
【０００９】
Ｃｅｌｌ＿ＰＣＨ状態では、システムはどの専用の物理的チャンネルもＵＥへ割当てない。一方、ＵＴＲＡＮはセル更新プロセスによってＵＥの移動性管理を行い、それによってセルレベルのＵＥの位置情報を獲得し、ＵＥはＰＣＨを監視することによってシステムページングを受信できる。この状態ではＩｕｒユーザ平面インターフェースは通常アクチブではない共通の転送チャンネルデータフレームリンクを割当てられ、これはＣｅｌｌ＿ＰＣＨ状態からＣｅｌｌ＿ＦＡＣＨ状態へのハンドオーバープロセスを加速できる。
【００１０】
ＵＲＡ＿ＰＣＨ状態では、システムはどのアクチブな物理的チャンネルもＵＥへ割当てない。一方、ＵＴＲＡＮはＵＲＡ更新プロセスによってＵＥの移動性管理を行い、それによってＵＲＡレベルのＵＥの位置情報を獲得し、ＵＥはＰＣＨの監視によってシステムページングを受信できる。この状態では、Ｉｕｒユーザ平面インターフェースは通常、何等共通の転送チャンネルデータフレームリンクを割当てられない。
【００１１】
ＲＲＣ接続状態に関連する詳細な説明については、ＴＳ２５．３３１と３ＧＰＰの他のプロトコルとを更に参照し、Ｉｕｒユーザ平面インターフェースのデータフレームのプロトコルに関連する詳細な説明については、ＴＳ２５．４２５と３ＧＰＰの他のプロトコルとを更に参照する。
【００１２】
本発明に関する他のＵＴＲＡＮ移動性管理プロセスはＳＲＮＳの再配置である。図４はＳＲＮＳ再配置プロセスを示す概略図である。図４のａは再配置前のＳＲＮＳのネットワーク状態を示し、ＤＲＮＣが現在の新しいＳＲＮＣに再配置されるネットワーク状態を示している。ＳＲＮＳ再配置プロセスはＩｕインターフェースを変更するだけでなくＳＲＮＣも変更するので、コアネットワークとＵＴＲＡＮの両者に関連し、ＵＴＲＡＮに関しては、ＳＲＮＳ再配置プロセスはＵＥに関連する既存の無線リソースを変更せずに、オリジナルＳＲＮＣから新しいＳＲＮＣ（即ちオリジナルＤＲＮＣ）へ、ＵＥに関連するユーザ平面の上部プロトコルエンティティのハンドオーバーを行う。ＵＴＲＡＮでは、ＳＲＮＣ再配置プロセスはＳＲＮＳとＤＲＮＳとの両者により実行され、ＳＲＮＳ再配置プロセスが行われるか否かの決定がＳＲＮＳにより実行され、また、ＳＲＮＳはＳＲＮＳ再配置プロセスを開始する。詳細なＳＲＮＳ再配置シグナリングプロセスについては、ＴＳ２３．０６０、ＴＲ２５．９３１および３ＧＰＰの他のプロトコルを参照することができる。
【発明の開示】
【発明が解決しようとする課題】
【００１３】
リリース９９のＷＣＤＭＡでは、セル更新プロセスとＵＲＡ更新プロセスは両者ともにＩｕｒインターフェース制御平面のＲＮＳＡＰ（無線ネットワークサブシステムアプリケーションパート）シグナリングを必要とする。しかしながら実際のＵＴＲＡＮネットワーク化では、幾つかのＲＮＣ間にＩｕｒリンク、例えばＲＮＣオーバーロード間にリンクは存在せず、即ちトポロジ構造にはＩｕｒリンクは存在しない。さらに、Ｉｕｒ物理的リンクが存在していても、Ｉｕｒインターフェース制御平面のＲＮＳＡＰシグナリングリンクは幾つかの異常な状態では無効にされる。したがってＵＥが常駐セルへ移動し、セルが属するＲＮＣとＵＥのＳＲＮＣとの間に有効なＩｕｒシグナリングリンクが存在しないとき、セル更新プロセスまたはＵＲＡ更新プロセスは失敗する。
【課題を解決するための手段】
【００１４】
本発明は、ＳＲＮＣと目的地のＲＮＣとの間にＩｕｒシグナリングリンクが存在しないときＲＮＣを横切ってセル更新とＵＲＡ更新を行う方法に関して、１組の効率的な解決手段を与える。
【００１５】
本発明の１特徴によれば、移動体通信システムのユーザ装置（ＵＥ）の移動性管理方法が提供され、ここでは前記移動体通信システムは、コアネットワークと、１以上のユニバーサル地上無線アクセスネットワーク（ＵＴＲＡＮ）と、複数のユーザ装置（ＵＥ）とを具備し、コアネットワークはＩｕインターフェースを介してＵＴＲＡＮと通信し、前記ＵＴＲＡＮは複数の無線ネットワークシステム（ＲＮＳ）からなり、Ｕｕインターフェースを介して１以上のＵＥと通信し、各前記ＲＮＳは無線ネットワーク制御装置（ＲＮＣ）と、Ｉｕｂインターフェースを通して前記ＲＮＣと通信する１以上のノードとを有し、各ノードは１以上のセルを有し、ＲＮＣ間の通信はＩｕｒインターフェースを介して行われ、ＵＴＲＡＮはＵｕインターフェースの無線リソース制御（ＲＲＣ）シグナリングを通してＵＥの移動性管理を制御し、前記方法は、ＵＥがアップリンクでＲＲＣシグナリングメッセージを第１のＲＮＣへ送信して、ＵＥ移動性管理をリクエストし、前記第１のＲＮＣは前記アップリンクＲＲＣシグナリングメッセージを受信してコアネットワークへ転送し、コアネットワークは前記アップリンクＲＲＣシグナリングメッセージを第２のＲＮＣへ透過的に転送し、第２のＲＮＣはリクエストされた移動性管理を実行するために転送されたアップリンクＲＲＣシグナリングメッセージを受信し使用するステップを含んでいる。
【００１６】
本発明の別の特徴によれば、ユーザ装置（ＵＥ）の移動性管理のための移動体通信システムが提供され、ここでは前記移動体通信システムは、コアネットワークと、１以上のユニバーサル地上無線アクセスネットワーク（ＵＴＲＡＮ）と、複数のユーザ装置（ＵＥ）とを具備し、コアネットワークはＩｕインターフェースを介してＵＴＲＡＮと通信し、前記ＵＴＲＡＮは複数の無線ネットワークシステム（ＲＮＳ）からなり、Ｕｕインターフェースを介して１以上のＵＥと通信し、各前記ＲＮＳは無線ネットワーク制御装置（ＲＮＣ）と、Ｉｕｂインターフェースを通して前記ＲＮＣと通信する１以上のノードとを具備し、各ノードは１以上のセルを具備し、ＲＮＣ間の通信はＩｕｒインターフェースを介して行われ、ＵＴＲＡＮはＵｕインターフェースの無線リソース制御（ＲＲＣ）シグナリングを通してＵＥの移動性管理を制御し、ＵＥはアップリンクでＲＲＣシグナリングメッセージを第１のＲＮＣへ送信してＵＥ移動性管理をリクエストする手段を具備し、前記第１のＲＮＣはＵＥから前記アップリンクＲＲＣシグナリングメッセージを受信してそれをコアネットワークへ転送する手段を具備し、コアネットワークは前記アップリンクＲＲＣシグナリングメッセージを第２のＲＮＣへ透過的に転送する手段を具備し、第２のＲＮＣはリクエストされた移動性管理を実行するために転送されたアップリンクＲＲＣシグナリングメッセージを受信し使用する手段を具備している。
【００１７】
本発明の方法によれば、ＵＥがある常駐セルへ移動し、セル更新またはＵＲＡ更新を行うことが必要であるとき、および常駐セルが属するＲＮＣとＵＥのＳＲＮＣとの間に利用可能なＩｕｒシグナリングリンクが存在しないとき、対応するセル更新またはＵＲＡルーチング区域更新のＵＥ移動性管理が本発明の方法にしたがって実行されることができる。有効な効果の２つの特徴が本発明の使用により得られることができ、１つの特徴は実際のネオ化において本発明を採択することにより、ＲＮＣを横切るセル更新およびＵＲＡ更新プロセスはＩｕｒリンクがコストと地理的な環境の理由等のために存在しないときに実現されることができることであり、他の特徴はＩｕｒリンクが存在していても、良好なシステムの信頼性が依然として本発明の使用により得られることができることであり、具体的に述べると、Ｉｕｒリンクがオーバーロードまたは故障になったとき、オリジナルＩｕｒリンクは本発明の使用により置換されることができ、セル更新およびＵＲＡ更新プロセスを実現し、それによってシステムの信頼性を改良することができる。
【発明を実施するための最良の形態】
【００１８】
以下の添付図面を参照して、本発明の実施形態を説明する。  
本発明をより明白に説明するため、本発明は好ましい実施形態の１例としてＷＣＤＭＡ通信システムを取り上げる。しかしながら、本発明は上記のシステムに限定されず、類似の構造および機能を有する他の通信システムもまた本発明を使用することによって移動性管理を実現することができる。本発明に基づいて、当業者は本発明の原理から逸脱するとは考えられない種々の改良、変更、変形を容易に行うことができることが同様に理解されよう。
【００１９】
添付図面を参照して、本発明を以下更に詳細に説明する。
【００２０】
従来技術では、ＲＮＣを横切るセル更新プロセスは主として２種類の方法、即ち（１）ＳＲＮＳ再配置を使用するセル更新プロセスと、（２）Ｉｕｒユーザ平面の共通のトランスポートチャンネルのデータフレームリンクを使用するセル更新プロセスとの２つの方法を使用して実現されることができる。図５はＳＲＮＳ再配置と組合わせたセル更新の典型的なシグナリングプロセスを示しており、図７はＩｕｒユーザ平面の共通のトランスポートチャンネルのデータフレームリンクを使用するセル更新の典型的なシグナリングプロセスを示している。これらのシグナリングプロセスの詳細な説明については、ＴＲ２５．９３１及びその他のプロトコルを参照する。
【００２１】
同様に、ＲＮＣを横切るＵＲＡ更新プロセスは２種類の方法、即ち（１）ＳＲＮＳ再配置を使用するＵＲＡ更新プロセスと、（２）Ｉｕｒ制御平面のシグナリングリンクを使用するＵＲＡ更新プロセスとの２つの方法を使用して実現されることができる。図６はＳＲＮＳ再配置と組合わせたＵＲＡの更新の典型的なシグナリングプロセスを示しており、図８はＩｕｒ制御平面のシグナリングリンクを使用するＵＲＡ更新の典型的なシグナリングプロセスを示している。これらのシグナリングプロセスの詳細な説明については、ＴＲ２５．９３１及びその他のプロトコルを参照する。
【００２２】
ＲＲＣ接続の設定中、ＲＲＣはハンドオーバーのような評価、決定、および実行機能と、ハンドオーバーの準備と、ＵＥの測定結果に基づいたセルの再選択またはセルの更新を行う。ＣＥＬＬ＿ＦＡＣＨ、ＣＥＬＬ＿ＰＣＨまたはＵＲＡ＿ＰＣＨの状態のＵＥはセル更新プロセスをリクエストすることができ、セル更新プロセスの主な目的はＵＥがセルの再選択を完了した後、ＵＴＲＡＮをＵＥの現在のセル中に更新することである。
【００２３】
図５を参照すると、ＳＲＮＳ再配置と組合わせたセル更新のシグナリングプロセスが示されている。ＳＲＮＳ再配置を使用するセル更新プロセスは主として以下のステップを含んでいる。  
１．ＵＥはＲＲＣメッセージを送信する。即ち共通の制御チャンネル（ＣＣＣＨ）が伝送する“セル更新メッセージ”をＵＥの現在の常駐セルが属するＲＮＣ（即ち新しいＤＲＮＣ）へ送信し、このＲＲＣメッセージは情報エレメントｕ−ＲＮＴＩ（ＵＴＲＡＮ無線ネットワークの一時的な識別子）と、セルの更新理由と、他の情報を含んでいる。  
２．ＲＲＣメッセージの受信後、新しいＤＲＮＣはＲＮＳＡＰメッセージを送信する。即ち“アップリングシグナリング転送指示”をＳＲＮＣへ送信し、このＲＮＳＡＰメッセージは新しいｃ−ＲＮＴＩおよびｄ−ＲＮＴＩとその他の情報エレメントとを含み、ｃ−ＲＮＴＩはセルを制御するための無線ネットワークの一時的な識別子であり、ｄ−ＲＮＴＩは目的地ＲＮＣの無線ネットワーク一時的な識別子である。  
３．ＲＮＳＡＰメッセージの受信後、ＳＲＮＣは上部プロトコルによってＣＮへ報告し、ＳＲＮＳ再配置を完了する。ＳＲＮＳ再配置の特定のプロセスを図９を参照して以下の部分で詳細に説明する。  
４．再配置（即ち新しいＳＲＮＣになった）後、新しいＤＲＮＣはＵＥにＲＲＣメッセージを送信する。即ち専用の制御チャンネル（ＤＣＣＨ）が伝送する“セル更新確認”を送信し、このＲＲＣメッセージは新しいｓ−ＲＮＴＩ情報エレメント、即ち新しいＳＲＮＣの無線ネットワークの一時的な識別子を含んでいる。  
５．新しいＤＲＮＣにより送信されたＲＲＣメッセージ“セル更新確認”を受信するとき、ＵＥは新しいＤＲＮＣへＲＲＣメッセージを送信する。即ちＤＣＣＨが伝送する“ＵＴＲＡＮ移動性情報確認”を送信し、更新された関連情報を確認する。
【００２４】
図６はＳＲＮＳ再配置を使用するＵＲＡ更新のシグナリングプロセスを示しており、主として以下のステップを含んでいる。  
１．ＵＥはＲＲＣメッセージを送信する。即ち共通の制御チャンネル（ＣＣＣＨ）が伝送する“ＵＲＡ更新メッセージ”をＵＥの現在の常駐セルが属するＲＮＣ（即ち新しいＲＮＣ）へ送信し、このメッセージは情報エレメントｕ−ＲＮＴＩ（ＵＴＲＡＮ無線ネットワークの一時的な識別子）と、ＵＲＡの更新理由と、その他の情報とを含んでいる。  
２．ＲＲＣメッセージの受信後、新しいＲＮＣはＲＮＳＡＰメッセージを送信する。即ち“アップリングシグナリング転送指示”をＳＲＮＣへ送信し、このＲＮＳＡＰメッセージは新しいｃ−ＲＮＴＩおよびｄ−ＲＮＴＩおよびその他の情報を含み、ｃ−ＲＮＴＩはセルを制御するための無線ネットワークの一時的な識別子であり、ｄ−ＲＮＴＩは目的地ＲＮＣの無線ネットワーク一時的な識別子である。  
３．ＲＮＳＡＰメッセージの受信後、ＳＲＮＣは上部プロトコルによってＣＮへ報告し、ＳＲＮＳ再配置を完了する。ＳＲＮＳ再配置の特定のプロセスを図９を参照にして以下の部分で詳細に説明する。  
４．再配置後、新しいＲＮＣはＵＥにＲＲＣメッセージを送信する。即ちＣＣＣＨが伝送する“ＵＲＡ更新確認”を送信し、このメッセージは新しいｓ−ＲＮＴＩ情報エレメント、即ち新しいＳＲＮＣの無線ネットワークの一時的な識別子を含んでいる。  
５．新しいＲＮＣから送信されたＲＲＣメッセージ“セル更新確認”を受信するとき、ＵＥは新しいＤＲＮＣへＲＲＣメッセージを送信する。即ちＤＣＣＨが伝送する“ＵＴＲＡＮ移動性情報確認”を送信し、更新された関連情報を確認する。
【００２５】
図５および６では、破線で示されているシグナリング、即ち図５及び６に示されているシグナリングステップ４および５は実際には以下説明するようにＳＲＮＳ再配置プロセス中に含まれる。しかしながらステップ４および５はセル更新とＵＲＡ更新との間のＳＲＮＳ再配置プロセスの違いを示す目的で別々に示されている。
【００２６】
図７および８は以下の説明で参照され、ここで図７はＩｕｒユーザ平面のデータフレームリンクを使用するセル更新プロセスを示しており、以下のステップを含んでいる。  
１．ＵＥはＲＲＣメッセージを送信する。即ち共通の制御チャンネル（ＣＣＣＨ）が伝送する“セル更新メッセージ”をＵＥの現在の常駐セルが属するＲＮＣ（即ち新しいＤＲＮＣ）へ送信し、このメッセージは情報エレメントｕ−ＲＮＴＩ（ＵＴＲＡＮ無線ネットワークの一時的な識別子）と、セルの更新理由と、その他の情報とを含んでいる。  
２．ＲＲＣ情報の受信後、新しいＤＲＮＣはＲＮＳＡＰメッセージを送信する。即ち“アップリングシグナリング転送指示”をＳＲＮＣへ送信し、このＲＮＳＡＰメッセージは新しいｃ−ＲＮＴＩおよびｄ−ＲＮＴＩとその他の情報エレメントとを含み、ｃ−ＲＮＴＩはセルを制御するための無線ネットワークの一時的な識別子であり、ｄ−ＲＮＴＩは目的地ＲＮＣの無線ネットワーク一時的な識別子である。  
３．ＲＮＳＡＰメッセージの受信後、ＳＲＮＣはＲＮＳＡＰメッセージを送信する。即ち“共通のトランスポートチャンネルリソース開始リクエスト”をＳＲＮＣと新しいＤＲＮＣとの間のＩｕｒインターフェースを介して新しいＤＲＮＣへ送信する。
【００２７】
４．前述のＲＮＳＡＰメッセージに応答して、新しいＤＲＮＣはＲＮＳＡＰメッセージを送信する。即ち“共通のトランスポートチャンネルリソース開始応答”をＳＲＮＣへ送信する。  
５．その後、新しいＤＲＮＣとＳＲＮＣとの間のアクセスリンク制御アプリケーションパート（ＡＬＣＡＰ）を通してＩｕｒトランスポートリンクを設定する。  
６．ＡＬＣＡＰを使用してＩｕｒトランスポートリンクを設定した後、ＳＲＮＣはＲＲＣメッセージ、即ちＤＣＣＨが伝送する“セル更新確認”をＵＥへ送信する。  
７．ＲＲＣ情報、即ち新しいＳＲＮＣから送信された“セル更新確認”を受信するとき、ＵＥはＲＲＣメッセージ、即ちＤＣＣＨが伝送する“ＵＴＲＡＮ移動性情報確認”をＳＲＮＣへ送信し、更新された関連情報を確認する。  
８．ＳＲＮＣはＲＲＣ情報を確認し、古いＤＲＮＣへＲＮＳＡＰメッセージを送信する。即ち“共通のトランスポートチャンネルリソースの解除”を送信して、共通のトランスポートチャンネルのＩｕｒリンクリソースを解除する。
【００２８】
図８はＩｕｒ制御平面のシグナリングリンクを使用するＵＲＡ更新プロセスであり、以下のステップを含んでいる。  
１．ＵＥはＲＲＣメッセージを送信する。即ち共通の制御チャンネル（ＣＣＣＨ）が伝送する“ＵＲＡ更新メッセージ”をＵＥの現在の常駐セルが属するＲＮＣ（即ち新しいＲＮＣ）へ送信し、このメッセージは情報エレメントｕ−ＲＮＴＩ（ＵＴＲＡＮ無線ネットワークの一時的な識別子）と、ＵＲＡの更新理由と、その他の情報とを含んでいる。  
２．ＲＲＣメッセージの受信後、新しいＲＮＣはＲＮＳＡＰメッセージを送信する。即ち“アップリングシグナリング転送指示”をＳＲＮＣへ送信し、このＲＮＳＡＰメッセージは新しいｃ−ＲＮＴＩおよびｄ−ＲＮＴＩとその他の情報エレメントとを含み、ｃ−ＲＮＴＩはセルを制御するための無線ネットワークの一時的な識別子であり、ｄ−ＲＮＴＩは目的地ＲＮＣの無線ネットワーク一時的な識別子である。  
３．ＲＮＳＡＰメッセージの受信後、ＳＲＮＣはＲＮＳＡＰメッセージ、即ち“ダウンリンクシグナリング転送指示”を新しいＲＮＣへ送信する。  
４．ＲＮＳＡＰメッセージの受信後、新しいＲＮＣはＵＥにＲＲＣメッセージを送信する。即ちＣＣＣＨが伝送する“ＵＲＡ更新確認”を送信し、このメッセージは新しいｓ−ＲＮＴＩ情報エレメント、即ち新しいＲＮＣの無線ネットワークの一時的な識別子を含んでいる。  
ＳＲＮＳ再配置を使用するセル更新プロセスはＵＲＡ更新プロセスにかなり類似している。Ｉｕｒユーザ平面の共通のトランスポートチャンネルのデータフレームリンクを使用するセル更新プロセスのように、これは主として２つの特徴を有している。即ちその１つはＲＮＳＡＰとＡＬＣＡＰ（アクセスリンク制御アプリケーションパート）の使用とＩｕｒインターフェース制御平面の他のシグナリングによるＩｕｒユーザ平面の共通のトランスポートチャンネルのデータフレームリンクを設定することであり、他方はＳＲＮＣとＵＥとの間のセル更新に関連するＲＲＣメッセージがＩｕｒユーザ平面の共通のトランスポートチャンネルの設定されたデータフレームリンクの使用によって後に（通常、目的地ＤＮＣと呼ばれる）新しいＤＲＮＣへ送信されることである。先の説明とは異なって、Ｉｕｒユーザ平面のシグナリングリンクを使用するＵＲＡ更新プロセスでは、Ｉｕｒユーザ平面の共通のトランスポートチャンネルのデータフレームリンクは設定されず、一方ＲＲＣメッセージ、即ちＳＲＮＣからＵＥへ送信された“ＵＲＡ更新確認”はＩｕｒ制御平面のシグナリングリンクを使用して（通常、目的地ＲＮＣと呼ばれる）新しいＲＮＣへ送信される。しかしながら、いずれの方法が使用されても、セル更新プロセスとＵＲＡ更新プロセスの両者は少なくともＳＲＮＣと目的地ＲＮＣとの間のＩｕｒインターフェースのシグナリングリンクの使用を必要とする。
【００２９】
前述したように、ＵＴＲＡＮのトポロジ構造およびその他の理由のために、セル更新およびＵＲＡ更新は、ＳＲＮＣと目的地ＲＮＣとの間にＩｕｒシグナリングリンクのない場合には従来技術の使用ではＲＮＣを横切って実現されることができない。
【００３０】
他方で、本出願人は、ＳＲＮＳ再配置を使用するセル更新およびＵＲＡ更新が従来技術のＩｕｒユーザ平面のシグナリングリンクの設定および使用を回避できることに注目している。さらに、以下の解析は、従来技術がまたＩｕｒ制御平面のシグナリングリンクを使用せずにＳＲＮＳ再配置プロセスをサポートしていることを示している。図９はＳＲＮＳ再配置のシグナリングプロセスを示しており、このプロセスの詳細な説明についてはＴＳ２３．０６０、ＴＳ２５．３２３、ＴＲ２５．９３１および３ＧＰＰの他のプロトコルを参照する。
【００３１】
図９はＳＲＮＳ再配置のシグナリングプロセスを概略的に示している。ここで、
１．ＳＲＮＣはＣＮへＲＡＮＡＰメッセージ、即ち“必要な再配置”メッセージを送信する。  
２．前述のＲＡＮＡＰメッセージに応答して、ＣＮは目的地ＲＮＣへＲＡＮＡＰメッセージ、即ち“再配置リクエスト”メッセージを送信する。  
３．再配置リクエストメッセージに関して、ＡＬＣＡＰシグナリングは目的地ＲＮＣとＣＮとの間にＩｕトランスポートリンクを設定する。  
４．目的地ＲＮＣは再配置リックエストを承認し、ＣＮへＲＡＮＡＰメッセージ、即ち“再配置リクエスト承認”を送信する。  
５．承認にしたがって、ＣＮはＳＲＮＣへＲＡＮＡＰメッセージ、即ち“再配置コマンド”を送信する。  
６．再配置コマンドを受信したとき、ＳＲＮＣは目的地ＲＮＣへＲＡＮＡＰメッセージ、即ち“再配置の委任”を送信する。  
７．ＧＰＲＳトンネルプロトコルユーザ平面（ＧＴＰ−Ｕ）シグナリングによって、ＳＲＮＣは目的地ＲＮＣへ“データ転送”メッセージを送信する。  
８．それに続いて、目的地ＲＮＣはＣＮへＲＡＮＡＰメッセージ、即ち“再配置検出”を送信する。  
９．目的地ＲＮＣは同時にＵＥへＲＲＣメッセージ、即ちＤＣＣＨが伝送する“ＵＴＲＡＮ移動性情報”または“セル更新確認”或いは“ＵＲＡ更新確認”を送信する。  
１０．ＵＥは上記メッセージを承認し、ＤＣＣＨが伝送する対応するＲＲＣメッセージを目的地ＲＮＣへ送信する。  
１１．目的地ＲＮＣはＣＮへＲＡＮＡＰメッセージ、即ち“再配置終了”を送信する。  
１２．その後、ＣＮはＳＲＮＣへＲＡＮＡＰメッセージ、即ち“Ｉｕ解除コマンド”を送信する。  
１３．ＡＬＣＡＰはＩｕトランスポートリンクを解除する。  
１４．ＳＲＮＣはＣＮへＲＡＮＡＰメッセージ、即ち“Ｉｕ解除の終了”を送信し、ＣＮへＩｕの解除の終了を報告する。  
図９に示されているシグナリングステップ９は３つの異なるＲＲＣメッセージを使用できることを説明する必要がある。即ち、別々のＳＲＮＳ再配置プロセスの場合、“ＵＴＲＡＮ移動性情報”が使用され、ＳＲＮＳ再配置がセルの更新から生じる場合、“セル更新確認”が使用され、ＳＲＮＳ再配置プロセスがＵＲＡ更新から生じる場合、“ＵＲＡ更新確認”が使用される。
【００３２】
図９に示されているように、ＳＲＮＳ再配置プロセスはＳＲＮＣによりＲＡＮＡＰメッセージ、即ち“必要な再配置”をＣＮへ送信することにより開始し、ＣＮがＳＲＮＣへＲＡＮＡＰメッセージ、即ち“再配置コマンド”を送信するとき、ＣＮと目的地ＲＮＣとの間のＩｕユーザ平面のトランスポートリンクが設定され、それは再配置を良好に処理する。ＳＲＮＣから目的地ＲＮＣへのハンドオーバーはＳＲＮＣから目的地ＲＮＣへのＲＮＳＡＰメッセージ、即ち“再配置委任”の送信で開始し、このメッセージはＳＲＮＣのＵＥに関連する全てのＳＲＮＣコンテキストを伝送し、目的地ＲＮＣはこのメッセージによってＵＥとの通信をシームレスに再設定できる。ＳＲＮＣと目的地ＲＮＣとの間にＩｕｒシグナリングリンクが存在しないとき、同じ機能を行うためにＲＮＳＡＰメッセージ“再配置委任”（即ちステップ６）は図９の破線により示されているＲＡＮＡＰメッセージ“転送ＳＲＮＳコンテキスト”（即ちステップ６ａおよび６ｂ）により置換されることができる。ここでＣＮの機能は実際に、Ｉｕインターフェースを介してＳＲＮＣから目的地ＲＮＣへＵＥに関連する全ての“ＳＲＮＳコンテキスト”をルート設定して、ＲＮＳＡＰメッセージ“再配置委任”の使用中にＩｕｒインターフェースを介するルート設定を置換する。
【００３３】
したがって、セル更新またはＵＲＡ更新プロセス全体では、ＲＡＮＡＰメッセージ“転送ＳＲＮＳコンテキスト”（以後簡単に“Ｉｕｒインターフェースを使用しないＳＲＮＳ再配置”と呼ぶ）を使用して送信されるＳＲＮＳコンテキストを有するＳＲＮＳ再配置が採択されるならば、ＲＮＣを横切ってセル更新及びＵＲＡ更新を行う問題は、ＳＲＮＣと目的地ＲＮＣとの間にＩｕｒシグナリングリンクが存在しないとき、ＵＥにより目的地ＲＮＣへ送信されるＲＲＣメッセージ“セル更新”または“ＵＲＡ更新”メッセージにより伝送される関連情報がＩｕｒのシグナリングリンクを使用せずにＳＲＮＣへ送信されることができる限り、解決されることができる。したがって、本発明は前述の考えに基づいてこの問題を解くための効率的な解決方法を提供する。
【００３４】
第１に、本発明は新しいＲＡＮＡＰメッセージ、即ち“アップリンクＲＲＣシグナリングの転送”メッセージの付加を提案し、このメッセージによって、ＣＮは論理チャンネルＣＣＣＨ（共通の制御チャンネル）上で目的地ＲＮＣにより受信されたｕｐ−ＲＲＣメッセージをＩｕインターフェースのシグナリングリンクを介してＳＲＮＣへ導き、ＲＡＮＡＰメッセージ“アップリンクシグナリング転送指示”を使用している期間中にＩｕｒインターフェースのシグナリングリンクを介するルートを置換する。
【００３５】
新しく付加されたＲＡＮＡＰメッセージはＩｕ制御平面の接続されていないシグナリングリンクにより伝送され、これはＲＮＣからＣＮへ送信される、即ち目的地ＲＮＣが論理チャンネルＣＣＣＨ上で受信したアップリンクＲＲＣメッセージを目的地ＲＮＣがＣＮへ直接的に送信するだけではなく、ＣＮからＲＮＣへ送信する、即ちＣＮがこのメッセージをＳＲＮＣへ透過的に転送することができる。新しく付加されたＲＡＮＡＰメッセージは少なくとも次の４つの情報エレメント（即ちＩＥ）、即ちメッセージタイプ、ソースＩＤ、ターゲットＩＤ、ＲＲＣ情報を含んでおり、ここで情報エレメント“メッセージタイプ”、“ソースＩＤ”、“ターゲットＩＤ”は３ＧＰＰのＴＳ２５．４１３プロトコルに規定されているＩＥを使用し続け、“メッセージタイプ”は各メッセージ自体を識別するための各ＲＡＮＡＰメッセージに含まれなければならず、“ソースＩＤ”はＳＲＮＣを識別するためのものであり、“ターゲットＩＤ”は目的地ＲＮＣを識別するためのものであり、それらの特別な定義はＴＳ２５．４１３プロトコルに規定されている。情報エレメント“ＲＲＣ情報”はここで新しく規定され、それは可変長を有するオクテットストリングであり、即ち論理チャンネルＣＣＣＨ上で目的地ＲＮＣにより受信され、ＳＲＮＣへ転送されるアップリンクＲＲＣメッセージである。
【００３６】
図１０は、新しく付加されたＲＡＮＡＰメッセージ“アップリンクＲＲＣシグナリングの転送”のシグナリングプロセスを示している。ＵＥから目的地ＲＮＣにより受信され、ＣＣＣＨで伝送されたアップリンクＲＲＣメッセージは常にＳＲＮＣ−ＩＤ（ＳＲＮＣの識別子）を含んでおり、それはＳＲＮＣをアドレスするためのメッセージ“アップリンクＲＲＣシグナリングの転送”の情報エレメント“ソースＩＤ”として使用される。このメッセージの受信後、このメッセージにより伝送された情報エレメント“ソースＩＤ”の使用により、ＣＮは何等の処理もすることなく、受信されたＲＡＮＡＰメッセージを直接的にＳＲＮＣへ転送する。ＳＲＮＣはＣＮから送信されたメッセージ“アップリンクＲＲＣシグナリングの転送”を受信し、このメッセージにより伝送された情報エレメント“ターゲットＩＤ”を使用して、伝送されたＲＲＣ情報の出所であるＲＮＣを知る。
【００３７】
新しく付加されたＲＡＮＡＰメッセージの使用により、本発明は図１１及び１２にそれぞれ示されているように、ＳＲＮＣと目的地ＲＮＣとの間にＩｕｒシグナリングリンクが存在しないとき、ＲＮＣを横切ってセル更新とＵＲＡ更新を行う方法を実行する。１例としてセル更新プロセスを挙げて、本発明の方法を以下、更に説明する。  
１．ＵＥはＲＲＣメッセージを送信する。即ちＣＣＣＨが伝送する“セル更新”を現在の常駐セルが属するＲＮＣ、即ち目的地ＲＮＣへ送信し、このメッセージは情報エレメントｕ−ＲＮＴＩ（ＵＴＲＡＮ無線ネットワークの一時的な識別子）およびセルの更新理由等を含んでいる。このＩＥはＳＲＮＣにより割当てられるＳＲＮＣ識別子ＳＲＮＣ−ＩＤと、ＵＥ識別子ｓ−ＲＮＴＩ（サービスする無線ネットワークの一時的な識別子）とからなる。  
２．ＲＲＣメッセージの受信後、目的地ＲＮＣはＩｕｒシグナリングリンクが存在するか否かを決定し、存在するならば、セル更新プロセスは従来技術にしたがって図５または７に示されているシグナリングモードによって実行され、存在しないならば、以下のプロセスが実行される。  
３．目的地ＲＮＣはＣＮへＲＡＮＡＰメッセージ“アップリンクＲＲＣシグナリングの転送”を送信し、ＳＲＮＣ−ＩＤは情報エレメント“ソースＩＤ”を構成し、目的地ＲＮＣの既知の識別子は情報エレメント“ターゲットＩＤ”を構成し、全体的な受信されたＲＲＣメッセージ“セル更新”は情報エレメント“ＲＲＣ情報”として直接機能する。  
４．目的地ＲＮＣから送信されたＲＡＮＡＰメッセージ“アップリンクＲＲＣシグナリングの転送”の受信後、前記メッセージにより伝送される情報エレメント“ソースＩＤ”を使用することにより、ＣＮは何等の処理もせずに受信されたＲＡＮＡＰメッセージを直接的にＳＲＮＣへ転送する。  
５．ＣＮから送信されたＲＡＮＡＰメッセージ“アップリンクＲＲＣシグナリングの転送”の受信後、ＳＲＮＣは情報エレメント“ＲＲＣ情報”からＲＲＣメッセージ“セル更新”を抽出し、Ｉｕｒインターフェースを使用せずに、情報エレメント“ターゲットＩＤ”により指示される目的地ＲＮＣを使用することによってＳＲＮＳ再配置プロセスを開始する。即ちＲＡＮＡＰメッセージ“ＳＲＮＳコンテキストの転送”を使用することによりＳＲＮＳコンテキストを送信するＳＲＮＳ再配置プロセスを開始する。  
６．ここで、図９に示されているようにＳＲＮＳ再配置プロセスがステップ９に到達するとき、“ＳＲＮＳコンテキスト”とＵＥの上部プロトコルエンティティは目的地ＲＮＣへ切換えられ、目的地ＲＮＣは新しいＳＲＮＣになり、これは結果としてＤＣＣＨが伝送するＲＲＣメッセージ“セル更新の確認”をＵＥへ送信することが可能であり、このメッセージには目的地ＲＮＣ、即ち新しいＳＲＮＣのＳＲＮＣ−ＩＤと、新しいＳＲＮＣによりＵＥへ新しく割当てられるｓ−ＲＮＴＩとを含んでいる。  
７．新しいＳＲＮＣにより送信されるＲＲＣメッセージ“セル更新の確認”を受信した後、ＵＥは更新された関連情報を確認するためにＲＲＣメッセージ“ＵＴＲＡＮ移動性情報確認”を送信する。
【００３８】
同様に、図１２は本発明にしたがってＩｕｒインターフェースを使用しないＵＲＡ更新プロセスを示している。ここで、
１．ＵＥはＲＲＣメッセージを送信する。即ちＣＣＣＨが伝送する“ＵＲＡ更新”を現在の常駐セルが属するＲＮＣ、即ち目的地ＲＮＣへ送信し、このメッセージは情報エレメントｕ−ＲＮＴＩ（ＵＴＲＡＮ無線ネットワークの一時的な識別子）と、ＵＲＡ更新理由等を含んでいる。このＩＥはＳＲＮＣにより割当てられるＳＲＮＣ識別子ＳＲＮＣ−ＩＤと、ＵＥ識別子ｓ−ＲＮＴＩ（サービスする無線ネットワークの一時的な識別子）からなっている。  
２．ＲＲＣメッセージの受信後、目的地ＲＮＣはＩｕｒシグナリングリンクが存在するか否かを決定し、存在するならば、ＵＲＡ更新プロセスが従来技術にしたがって図６または８に示されているシグナリングモードにより実行され、存在しないならば、以下のプロセスが実行される。  
３．目的地ＲＮＣはＣＮへＲＡＮＡＰメッセージ“アップリンクＲＲＣシグナリングの転送”を送信し、ＳＲＮＣ−ＩＤは情報エレメント“ソースＩＤ”を構成し、目的地ＲＮＣの既知の識別子は情報エレメント“ターゲットＩＤ”を構成し、全体的な受信されたＲＲＣメッセージ“ＵＲＡ更新”は情報エレメント“ＲＲＣ情報”として直接機能する。  
４．目的地ＲＮＣから送信されたＲＡＮＡＰメッセージ“アップリンクＲＲＣシグナリングの転送”の受信後、前記メッセージにより伝送される情報エレメント“ソースＩＤ”を使用することにより、ＣＮは何等の処理もせずに受信されたＲＡＮＡＰメッセージを直接的にＳＲＮＣへ転送する。  
５．ＣＮから送信されたＲＡＮＡＰメッセージ“アップリンクＲＲＣシグナリングの転送”の受信後、ＳＲＮＣは情報エレメント“ＲＲＣ情報”からＲＲＣメッセージ“ＵＲＡ更新”を抽出し、Ｉｕｒインターフェースを使用せずに、情報エレメント“ターゲットＩＤ”により指示される目的地ＲＮＣを使用することによってＳＲＮＳ再配置プロセスを開始する。即ちＲＡＮＡＰメッセージ“ＳＲＮＳコンテキストの転送”を使用することによりＳＲＮＳコンテキストを送信するためのＳＲＮＳ再配置プロセスを開始する。  
６．ここで、図９に示されているようにＳＲＮＳ再配置プロセスがステップ９に到達するとき、“ＳＲＮＳコンテキスト”とＵＥの上部プロトコルエンティティは目的地ＲＮＣへ切換えられ、目的地ＲＮＣは新しいＳＲＮＣになり、それは結果としてＣＣＣＨ（共通制御チャンネル）が伝送するＲＲＣメッセージ“ＵＲＡ更新の確認”をＵＥへ送信することができ、このメッセージは目的地ＲＮＣ、即ち新しいＳＲＮＣのＳＲＮＣ−ＩＤおよび新しいＳＲＮＣによりＵＥへ新しく割当てられるｓ−ＲＮＴＩを含んでいる。
【００３９】
新しいＳＲＮＣから送信されるＲＲＣメッセージ“セル更新の確認”を受信後、ＵＥは更新された関連情報を確認するためにＲＲＣメッセージ“ＵＴＲＡＮ移動性情報確認”を送信する。
【００４０】
さらに、本発明によれば、ＵＥ移動性管理のための移動体システムでは、ＵＥはアップリンクＲＲＣシグナリングメッセージを第１のＲＮＣへ送信して、ＵＥ移動性管理をリクエストする手段を具備しており、目的地ＲＮＣはＵＥから前記アップリンクＲＲＣシグナリングメッセージを受信してコアネットワークへ転送する手段を具備し、コアネットワークは前記アップリンクＲＲＣシグナリングメッセージをサービスするＲＮＣへ透過的に転送する手段を具備し、サービスするＲＮＣはリクエストされた移動性管理を実行するために転送されたアップリンクＲＲＣシグナリングメッセージを受信し利用する手段を具備している。本発明の方法及び本発明の説明した内容にしたがって、当業者は前述の手段を容易に実現することができる。
【００４１】
以上、本発明によるＵＥの移動性管理方法、即ちＩｕｒシグナリングリンクが存在しないときのセル更新およびＵＴＲＡＮルーチング区域の更新方法を詳細に説明した。当業者は前述の説明が単なる例示であり、種々の変更が本発明により行われることができ、それらは本発明の原理を逸脱しないことを理解すべきである。
【図面の簡単な説明】
【００４２】
【図１】ＵＭＴＳシステムアーキテクチャの概略図。
【図２】ＵＭＴＳネットワークシステムアーキテクチャ中のＵＴＲＡＮのネットワークアーキテクチャの概略図。
【図３】ＵＥとＵＴＲＡＮとの間の２つの接続の例を示す概略図。
【図４】ＵＭＴＳネットワークシステムアーキテクチャ中のＳＲＮＳ再配置プロセスを示す概略図。
【図５】ＳＲＮＳ再配置と組合わせたセル更新のシグナリングプロセスの説明図。
【図６】ＳＲＮＳ再配置と組合わせたＵＲＡ更新のシグナリングプロセスの説明図。
【図７】Ｉｕｒユーザ平面の共通のトランスポートチャンネルのデータフレームリンクを使用するセル更新のシグナリングプロセスの説明図。
【図８】Ｉｕｒ制御平面のシグナリングリンクを使用するＵＲＡ更新のシグナリングプロセスの説明図。
【図９】ＵＭＴＳネットワークシステムアーキテクチャ中のＳＲＮＳ再配置のシグナリングプロセスの説明図。
【図１０】本発明による新しく付加されたＲＡＮＡＰメッセージ“アップリンクＲＲＣシグナリングの転送”のシグナリングプロセスの説明図。
【図１１】本発明によるＩｕｒシグナリングリンクが存在しないときのＲＮＣを横切るセル更新方法のプロセスを示す概略図。
【図１２】本発明によるＩｕｒシグナリングリンクが存在しないときのＲＮＣを横切るＵＲＡ更新方法のプロセスの概略図。
【図１】
0004448036.tif 000002
【図２】
0004448036.tif 000003
【図３】
0004448036.tif 000004
【図４】
0004448036.tif 000005
【図５】
0004448036.tif 000006
【図６】
0004448036.tif 000007
【図７】
0004448036.tif 000008
【図８】
0004448036.tif 000009
【図９】
0004448036.tif 000010
【図１０】
0004448036.tif 000011
【図１１】
0004448036.tif 000012
【図１２】
0004448036.tif 000013